(57)【要約】【課題】利用者が鼻声である場合や、携帯機器が鞄や衣類などの中に存在する場合であっても、見失った携帯機器の所在を知ることが可能な携帯機器を提供する。【解決手段】所定の単語を保管する単語保管手段１８６と、利用者が発音した音声を集音する集音手段（マイク１９７）と、集音手段（マイク１９７）が集音した音声に対して音声認識処理を実施して利用者が発音した単語を抽出する単語抽出手段１７６と、前記抽出した単語と前記単語保管手段１８６に保管されている単語とを照合する単語比較手段１７８と、前記照合の結果両者の単語が一致していると判断した場合にはアラーム音、メロディー、又は振動等の所在応答情報を発して利用者に通知する通知手段（スピーカ１９５等）とを備えた。【選択図】　　　　図１
2004120681.tif 000002
【特許請求の範囲】
【請求項１】
所定の単語を保管する単語保管手段と、
利用者が発音した音声を集音する集音手段と、
前記集音手段が集音した音声に対して音声認識処理を実施して、利用者が発音した単語を抽出する単語抽出手段と、
前記抽出した単語と、前記単語保管手段に保管されている単語とを照合する単語比較手段と、
前記照合の結果、両者の単語が一致していると判断した場合には、アラーム音、メロディー、又は振動等の所在応答情報を発して利用者に通知する通知手段と、
を備えたことを特徴とする携帯機器。
【請求項２】
前記集音手段が集音した音声が所定の音圧以上であることを判断する音圧判断手段を備え、
前記単語抽出手段は、前記音圧判断手段が所定の音圧以上であると判断した場合にのみ、集音した音声に対して音声認識処理を実施して利用者が発音した単語を抽出することを特徴とする請求項１の携帯機器。
【請求項３】
所定の時間を計数するタイマを備え、
前記通知手段は、所定の時間の間のみ前記所在応答情報を発することを特徴とする請求項１又は２の携帯機器。
【発明の詳細な説明】
【０００１】
【発明の属する技術分野】
本発明は、携帯電話、ＰＤＡ（Ｐｅｒｓｏｎａｌ　Ｄａｔａ　Ａｓｓｉｓｔａｎｃｅ）、パソコン、ゲーム機器、電子カメラ、オーディオ機器等の携帯機器に係り、特に利用者が当該携帯機器を見失った場合にその携帯機器の所在を明らかにすることが可能な携帯機器に関する。
【０００２】
【従来の技術】
見当たらない携帯電話の所在を明らかにするために、使用者の音声に反応し携帯電話が鳴動するようにした携帯電話装置が、特許文献１に示されている。
【０００３】
当該携帯電話装置では、入力された音声パターンを抽出する音声分析手段と、抽出された音声と事前に登録された使用者の音声標準パターンとの比較を行う音声パターン比較手段とを備え、その比較の結果使用者の音声であると認識された場合に、リンガを鳴動させるように制御するものである。
【０００４】
【特許文献１】
特開２００１−１５６８８４
【０００５】
【発明が解決しようとする課題】
しかしながら、特許文献１に示されている携帯電話装置は、マイクロフォンにより入力された音声パターンを音声分析手段にて抽出し、事前に音声パターン蓄積部へ登録した使用者の音声標準パターンとの比較を音声パターン比較部で行うことにより、使用者の音声か否かの判断を行って、リンガを鳴動させるものである。したがって、予め登録した利用者の音声そのものを入力した場合でないとリンガが鳴動しないために、利用者が風邪をひいていて鼻声である場合や、携帯電話装置が鞄や衣類などの中に存在する場合には、マイクロフォンが集音した音にフィルタがかかった状態になってしまい、事前に音声パターン登録部に登録した使用者の音声パターンと同一である旨の判断を行うことができず、その結果、携帯電話装置の存在位置を特定できないという不具合を生じている。
【０００６】
また、利用者が携帯電話を見失っていない場合であっても、利用者が発した音声に反応して所在を通知してしまうなど誤通知を行う可能性があるという不具合を生じていた。
【０００７】
本発明はこのような事情に鑑みてなされたもので、予め保管されている所定の単語と、新たにマイクを介して入力した単語とを照合して、同一の単語であると判断した場合にのみアラーム音やメロディー、振動等の所在応答情報を発することによって、当該携帯機器の所在を利用者に通知することが可能な携帯機器を提供することを目的としている。
【０００８】
また本発明は、利用者が風邪をひいていて鼻声である場合や、携帯機器が鞄や衣類などの中に存在する場合であっても、見失った携帯機器の所在を知ることが可能な携帯機器を提供することを目的としている。
【０００９】
また本発明は、所定の音圧以上の音声を集音した場合にのみ音声認識処理を行うことによって、誤通知を減少することが可能な携帯機器を提供することを目的としている。
【００１０】
また本発明は、所定の時間の間のみ所在応答情報を発することによって、無駄な所在応答情報の発生を防止することが可能な携帯機器を提供することを目的としている。
【００１１】
【課題を解決するための手段】
前記目的を達成するために請求項１に記載の発明は、所定の単語を保管する単語保管手段と、利用者が発音した音声を集音する集音手段と、前記集音手段が集音した音声に対して音声認識処理を実施して利用者が発音した単語を抽出する単語抽出手段と、前記抽出した単語と前記単語保管手段に保管されている単語とを照合する単語比較手段と、前記照合の結果両者の単語が一致していると判断した場合にはアラーム音、メロディー、又は振動等の所在応答情報を発して利用者に通知する通知手段とを備えたことを特徴としている。
【００１２】
本発明によれば、集音手段が集音した音声に対して音声認識処理を実施して利用者が発音した単語を抽出し、単語比較手段が前記抽出した単語と単語保管手段に保管されている単語とを照合し、該照合の結果両者の単語が一致していると判断した場合には通知手段がアラーム音、メロディー、又は振動等の所在応答情報を発して利用者に通知するようにしたので、利用者が設定したキーワードを発音することによって、当該携帯機器がアラーム音やメロディー、振動等の所在応答情報を発して、当該携帯機器の所在を利用者に通知することが可能となる。
【００１３】
また前記目的を達成するために請求項２に記載の発明は、集音手段が集音した音声が所定の音圧以上であることを判断する音圧判断手段を備え、単語抽出手段は音圧判断手段が所定の音圧以上であると判断した場合にのみ集音した音声に対して音声認識処理を実施して利用者が発音した単語を抽出することを特徴としている。
【００１４】
本発明によれば、音圧判定手段が集音手段が集音した音声が所定の音圧以上であることを判断した場合にのみ、集音した音声に対して音声認識処理を実施して利用者が発音した単語を抽出するようにしたので、誤通知を減少することが可能となる。
【００１５】
また前記目的を達成するために請求項３に記載の発明は、所定の時間を計数するタイマを備え、通知手段は所定の時間の間のみ所在応答情報を発することを特徴としている。
【００１６】
本発明によれば、所定の時間の間のみ所在応答情報を発することが可能となり、無駄な所在応答情報の発生を防止することが可能となる。
【００１７】
また本発明によれば、利用者が風邪をひいていて鼻声である場合や、携帯機器が鞄や衣類などの中に存在する場合であっても、利用者は見失った携帯機器の所在を知ることが可能となる。
【００１８】
また本発明によれば、日常使用しないキーワードを所在応答動作用の単語として予め保管しておくことによって、誤通知を減少することが可能となる。
【００１９】
【発明の実施の形態】
以下添付図面に従って、本発明に係る携帯機器の好ましい実施の形態について詳説する。
【００２０】
図１は、本発明に係る携帯機器の一形態である携帯電話１０の信号処理系ブロック図である。
【００２１】
同図に示すように携帯電話１０には、公衆回線やインターネット等の通信網と無線通信するための送受信手段１６５と、画像や文字等の情報を表示する表示手段１６８と、利用者が電話番号やモード切替情報、単語登録情報等の各種情報を入力する入力手段１７４と、所定の単語を保管する単語保管手段１８６とが設けられている。
【００２２】
なお、単語保管手段１８６に保管する単語は、マイク１９７を介して集音した音声から単語抽出手段１７６が抽出した単語を保管するようにしてもよいし、入力手段１７４を介して利用者から入力した単語を情報処理手段１８０が単語保管手段１８６に保管するようにしてもよい。
【００２３】
また、携帯電話１０には、利用者が発音した音声を集音するマイク１９７（集音手段）と、マイク１９７を介して入力した音声信号をデジタルのデータに変換するとともに、集音した音声に対して音声認識処理を実施して利用者が発音した単語を抽出する単語抽出手段１７６と、抽出した単語と単語保管手段１８６に保管されている単語とを照合する単語比較手段１７８と、携帯電話１０全体の制御を行う情報処理手段（ＣＰＵ）１８０と、所定の時間を計数するタイマ１９０とが設けられている。
【００２４】
情報処理手段１８０は、ＣＰＵをはじめとしてその周辺機器であるメモリ、不揮発性メモリ、Ｉ／Ｏ、カレンダ時計、シリアル通信の通信手段等を含む構成としてもよい。なお、前記不揮発性メモリには、携帯電話１０の処理に関する各種定数やネットワーク上の通信機器に通信接続する際のダイヤルアップ電話番号、属性情報、ＵＲＬ（Ｕｎｉｆｏｒｍ　Ｒｅｓｏｕｒｃｅ　Ｌｏｃａｔｏｒｓ　）、ＩＰ（Ｉｎｔｅｒｎｅｔ　Ｐｒｏｔｏｃｏｌ　）アドレス、ゲートウェイ情報ＤＮＳ（Ｄｏｍａｉｎ　Ｎａｍｅ　Ｓｙｓｔｅｍ）等の接続情報やＣＰＵを動作させるプログラムや各種定数を記録することが可能となっている。また、前記単語抽出手段１７６や単語比較手段１７８、単語保管手段１８６が実施する処理を、情報処理手段１８０が実施するようにしてもよい。
【００２５】
また、携帯電話１０には、電話の着信や当該携帯電話１０の所在を振動を発することによって利用者に通知するバイブレータ１９３（通知手段の一形態）と、受話器の機能を備えるとともに音声やメロディー、アラーム音等の所在応答情報を情報処理手段１８０の指示に基づいて出力することが可能なスピーカ１９５（通知手段の一形態）とが設けられている。
【００２６】
前記バイブレータ１９３は、単語比較手段１７８による照合の結果、両者の単語が一致していると判断した場合には、情報処理手段１８０等の指示に基づいて振動等の所在応答情報を発して利用者に通知することが可能となっている。
【００２７】
また前記スピーカ１９５は、単語比較手段１７８による比較の結果、両者の単語が一致していると判断した場合には、情報処理手段１８０等の指示に基づいてアラーム音、メロディー等の音声による所在応答情報を発して利用者に通知することが可能となっている。
【００２８】
携帯電話１０内の情報処理手段１８０と、送受信手段１６５と入力手段１７４、表示手段１６８、単語比較手段１７８、単語保管手段１８６、バイブレータ１９３、スピーカ１９５等を含む各周辺回路は、バス等の通信手段を介して接続されており、情報処理手段１８０が実行する処理プログラムに基づいて各周辺回路を制御することが可能となっている。
【００２９】
なお、上記の説明では携帯電話を用いた例で説明したが、マイク１９７等の集音手段、単語抽出手段１７６、単語比較手段１７８、単語保管手段１８６、バイブレータ１９３又はスピーカ１９５等の通知手段を備えた携帯機器であれば、パソコン、電子手帳、ＰＤＡ、ゲーム機、電子カメラ、オーディオ機器等であっても、本発明の目的を達成することが可能である。
【００３０】
図２に、本発明に係る携帯機器の所在応答処理に関するフローチャートを示す。
【００３１】
利用者が携帯電話１０の入力手段１７４に設けられている電源ボタンを操作して、当該携帯電話１０の初期処理が終了すると、情報処理手段１８０が実施する処理はＳ１００「電源投入」（以降Ｓ１００のように省略して記載する。）に分岐してきて、次のＳ１０２「待ち受け開始」の処理に進む。
【００３２】
なお、携帯電話１０の電池残容量に余裕があって、電力の消耗に関する心配が無い場合には、以降で説明する所在応答処理を携帯電話１０の電源遮断状態中においても実施するようにしてもよい。また、携帯電話１０の電池残容量に関して心配がある場合には、Ｓ１００の処理を機能させて電源遮断状態中には所在応答処理を行わないようにするとよい。
【００３３】
Ｓ１０２にて情報処理手段は、定期的にキャリアの通信基地局と通信を行うなどして、通話の着信や電子メールの受信を待つ処理、利用者から通話開始指示の入力を待つ処理、並びに、利用者から単語登録を実施する旨の情報の入力を待つ処理を開始する。そして処理は次のＳ１０４「登録ボタンが押されたか」の判断に進む。なお、以降通話の着信があった場合や電子メールの受信があった場合には、情報処理手段１８０は通話着信処理や電子メールの受信処理を行う。
【００３４】
Ｓ１０４にて情報処理手段１８０は、利用者が入力手段１７４を介して単語登録を実施する旨の情報を入力したか否かの判断を行っている。もしＳ１０４にて情報処理手段１８０が、入力手段１７４を介して単語登録を実施する旨の情報を入力したと判断した場合には、情報処理手段１８０が実施する処理は１０６「単語登録／再登録」の処理に分岐する。
【００３５】
また、もしＳ１０４にて登録ボタンが押されていないと判断した場合には、情報処理手段１８０が実施する処理は次のＳ１１０「所在応答機能開始」の処理に進む。
【００３６】
Ｓ１０６にて情報処理手段１８０は、通話状態から単語登録を実施するモードに切り換えて、マイク１９７が集音した音声を単語抽出手段１７６に伝達するように音声の伝達経路を切り換える処理を行う。そして、マイク１９７が集音した音声に対して、単語抽出手段１７６が音声認識処理を実施して、利用者が発音した単語を抽出する処理を行う。
【００３７】
また、単語登録を実施するモードでは、単語抽出手段１７６が出力した単語情報は、単語保管手段１８６に登録されるように経路が切り替えられている。したがって単語抽出手段１７６が抽出した単語は、単語保管手段１８６に保管される。またＳ１０６の処理において、マイク１９７を介して集音した音声に基づいて単語登録を実施する代わりに、携帯電話１０の入力手段１７４を介して入力した単語を単語登録手段１８６に登録するようにしても、本発明の目的を達成することが可能である。
【００３８】
次のＳ１０８「動作確認」の処理では、Ｓ１０６にて単語保管手段１８６に保管した単語を表示手段１６８に表示したり、再度利用者から音声を入力して単語を抽出し、抽出した単語と単語保管手段１８６に保管されている単語とを比較して実際に照合を行って、照合結果を表示するようにしてもよい。Ｓ１０８にて動作確認処理が終了すると、情報処理手段１８０が実施する処理は、Ｓ１１０に進む。
【００３９】
Ｓ１１０にて情報処理手段１８０は、本発明に係る所在応答機能を有効に設定する処理を行う。この場合には、マイク１９７を介して集音した音声は、単語抽出手段１７６に伝達するように信号伝達の経路が切り換えられている。また、単語抽出手段１７６が出力した単語情報は、単語比較手段１７８に伝達されるように経路が切り替えられている。
【００４０】
次のＳ１１２「単語抽出」にて情報処理手段１８０は、単語抽出手段１７６に対して単語を抽出する旨の指示を出力する。単語抽出手段１７６は、情報処理手段１８０からの指示に従って、マイク１９７が集音した音声に対して音声認識処理を行って単語を抽出する処理を行う。単語抽出手段１７６が抽出した単語は単語比較手段１７８に伝達される。
【００４１】
なお、単語抽出手段１７６内にマイク１９７が集音した音声が所定の音圧以上であることを判断する音圧判断手段を備えておき、Ｓ１１２の処理において単語抽出手段１７６（音圧判断手段）が所定の音圧以上であると判断した場合にのみ集音した音声に対して音声認識処理を実施して、利用者が発音した単語を抽出するように構成してもよい。
【００４２】
次のＳ１１４「単語比較」にて情報処理手段１８０は、単語比較手段１７８に対して、単語抽出手段１７６が抽出した単語と単語保管手段１８６に保管されている単語とを照合する旨の指示を出力する。単語比較手段１７８は、情報処理手段１８０からの指示に基づいて単語抽出手段１７６が抽出した単語と単語保管手段１８６に保管されている単語とを照合する処理を行う。そして処理は次のＳ１１６「所在応答判断」の処理に進む。
【００４３】
Ｓ１１６にて情報処理手段１８０は、Ｓ１１４における照合処理の結果、所在応答を実施するか否かの判断を行っている。もし、Ｓ１１４における照合処理の結果、両者の単語が一致していると判断した場合には、情報処理手段１８０が実施する処理はＳ１１８「所在応答動作開始」の処理に分岐する。
【００４４】
また、もしＳ１１４における照合処理の結果、両者の単語が一致していないと判断した場合には、情報処理手段１８０が実施する処理はＳ１３０「通話モードボタンが押されたか」の判断に進む。
【００４５】
Ｓ１１８にて情報処理手段１８０は、今回マイク１９７が集音して単語抽出を実施した単語と、単語保管手段１８６に予め保管されている所在通知用の単語とが一致していると判断したことを受けて、バイブレータ１９３（通知手段）に対して振動を発生する旨の指示、又はスピーカ１９５（通知手段）に対して所定のアラーム音、若しくはメロディー等の所在応答情報を発する旨の指示を出力して、利用者に対して当該携帯電話１０の所在を通知する処理を行う。
【００４６】
Ｓ１１８にて利用者に対して通知する所在応答動作を開始すると、情報処理手段１８０が実施する処理は、次のＳ１２０「所在応答停止ボタンが押されたか」の判断に進む。
【００４７】
Ｓ１２０にて情報処理手段１８０は、入力手段１７４を介して利用者から所在応答に対する停止を指示する旨の情報を入力したか否かの判断を行っている。もし、Ｓ１２０にて利用者から、所在応答に対する停止の指示を入力しなかったと判断した場合には、情報処理手段１８０が実施する処理は、Ｓ１２２「一定時間経過」の判断に進む。
【００４８】
Ｓ１２２にて情報処理手段１８０は、タイマ１９０を参照して所在応答動作開始後一定時間経過しているか否かの判断を行い、一定時間経過していないと判断した場合には、処理はＳ１２０に再び戻る。また、Ｓ１２２にて、所在応答動作開始後一定時間経過したと判断した場合には、情報処理手段１８０が実施する処理はＳ１２４「所在応答動作終了」の処理に進む。なお、Ｓ１２０にて所在応答停止ボタンが押されたと判断した場合にも、情報処理手段１８０が実施する処理はＳ１２４に進む。Ｓ１１２の処理を設けることによって、通知手段は所定の時間の間のみ所在応答情報を発することが可能となる。
【００４９】
Ｓ１２４にて情報処理手段１８０は、Ｓ１１８にて指示した所在応答動作を終了する旨の指示を通知手段に対して出力する。もしバイブレータ１９３（通知手段）に対して振動等を発生する旨の指示を出力していた場合には、バイブレータ１９３に対して振動等の所在応答情報の発生を中止する旨の指示を出力する。また、スピーカ１９５（通知手段）に対して所定のアラーム音、若しくはメロディー等の所在応答情報を発する旨の指示を出力していた場合には、スピーカ１７５に対してアラーム音、若しくはメロディー等の所在応答情報の発音を中止する旨の指示を出力する。Ｓ１２４にて所在応答動作を終了すると、情報処理手段１８０が実施する処理はＳ１３０に進む。
【００５０】
Ｓ１３０にて情報処理手段１８０は、利用者によって入力手段１７４に設けられている通話モードボタンが押されたか否かの判断を行っている。もし、通話モードボタンが押されたと判断した場合には、処理はＳ１３２「通話開始」に進み、押されていなかったと判断した場合にはＳ１０４に戻る。
【００５１】
Ｓ１３２にて情報処理手段１８０は、表示手段１６８に通話先の電話帳を表示するなどして、通話を開始する準備を行う。そして次のＳ１３４「所在応答機能中断」の処理に進む。Ｓ１３４にて情報処理手段１８０は、所在応答機能を無効に設定する処理を行う。この場合に情報処理手段１８０は、マイク１９７を介して集音した音声を情報処理手段１８０に伝達するように信号伝達の経路を切り換え、マイク１９７は通常の携帯電話用の送話器として利用される。
【００５２】
Ｓ１３４にて所在応答機能の中断処理が完了すると、情報処理手段１８０が実施する処理は次のＳ１３６「通話」の処理に進み、利用者所望の通話先にダイヤルして通話を開始する。利用者から通話を終了する旨の指示が入力されると、情報処理手段１８０が実施する処理は次のＳ１３８「通話終了」の処理に進み、通話処理を終了する。
【００５３】
次のＳ１４０「所在応答機能再開」にて情報処理手段１８０は、Ｓ１１０と同様の処理を行ってＳ１０４の処理に戻る。
【００５４】
【発明の効果】
以上説明したように請求項１に記載の携帯機器によれば、集音手段が集音した音声に対して音声認識処理を実施して利用者が発音した単語を抽出し、単語比較手段が前記抽出した単語と単語保管手段に保管されている単語とを照合し、該照合の結果両者の単語が一致していると判断した場合には通知手段がアラーム音、メロディー、又は振動等の所在応答情報を発して利用者に通知するようにしたので、利用者が設定したキーワードを発音することによって、当該携帯機器がアラーム音やメロディー、振動等の所在応答情報を発して、当該携帯機器の所在を利用者に通知することが可能となる。
【００５５】
また請求項２に記載の発明によれば、集音手段が集音した音声が所定の音圧以上であることを判断した場合にのみ、集音した音声に対して音声認識処理を実施して利用者が発音した単語を抽出するようにしたので、誤通知を減少することが可能となる。
【００５６】
また請求項３に記載の発明によれば、所定時間の間のみ所在応答情報を発することが可能となり、無駄な所在応答情報の発生を防止することが可能となる。
【００５７】
また本発明によれば、利用者が風邪をひいていて鼻声である場合や、携帯機器が鞄や衣類などの中に存在する場合であっても、利用者は見失った携帯機器の所在を知ることが可能となる。
【００５８】
また本発明によれば、日常使用しないキーワードを所在応答動作用の単語として予め保管しておくことによって、誤通知を減少することが可能となる。
【図面の簡単な説明】
【図１】本発明に係る携帯機器の一形態である携帯電話の信号処理系ブロック図
【図２】本発明に係る携帯機器における所在応答処理に関するフローチャート
【符号の説明】
１０…携帯電話、１６５…送受信手段、１６８…表示手段、１７４…入力手段、１７６…単語抽出手段、１７８…単語比較手段、１８０…情報処理手段（ＣＰＵ）、１８６…単語保管手段、１９０…タイマ、１９３…バイブレータ、１９５…スピーカ、１９７…マイク
【図１】
2004120681.tif 000003
【図２】
2004120681.tif 000004